(57)【要約】【課題】  炭焼きコンロは多品種発売されているが、その多くは焼き網とロストルの位置が固定されており、火力調整は専ら空気取り入れ口の開閉でのみ行われ、微調整ができず火力に左右される不自由さを感じながらも、結果的に炭を効率よく利用できずに無駄に消費している。【解決手段】  コンロの外周面下部に複数個の縦長の空気吸入孔を周設し、左右両側面の中央部に固定用螺子の上下動に必要な長さの縦長の挿入孔を穿設したコンロと、その内部にわずかな隙間をもって収納する、中枠の二重体構造とする。中枠の底部に、多数の子孔の空いたロストルを落とし込み、左右両側面の中央下部に貫通孔を設けて、その内側両面に螺子孔を接合し、コンロの左右外部から中枠を固定用螺子で支承させて上下動を可能にするが、その際、中枠の外周面幅を利用してコンロとのがたつきを解消し、かつ上下作動に連動して空気吸入孔を開閉塞させる。【選択図】  図１
2005312845.tif 000002
【特許請求の範囲】
【請求項１】
炭焼きコンロにおいて、コンロ（１）の外周面下部に複数の空気吸入孔（２）、（２）を周設し、左右両側面の中央部に固定用螺子（３）、（３）の挿入孔（４）、（４）を穿設し、かつコンロ（１）の内部にわずかな隙間をもって収納する中枠（５）の底部に、ロストル（６）の支持部（７）、（７）を設け、中枠（５）の左右両側面の中央下部に貫通孔（８）、（８）を設けて、その内側両面に螺子孔（９）、（９）を接合し、コンロ（１）に中枠（５）を固定用螺子（３）、（３）にて支承させたことを特徴とする自動空気調整付バーベキューコンロ。
【発明の詳細な説明】
【技術分野】
【０００１】  本発明は、炭焼き用バーベキューコンロに関するもので、詳しくは火力に応じてロストルを上下させ、かつ自動的に空気量を調整して省エネ・環境問題に貢献するバーベキューコンロに関する。
【背景技術】
【０００２】  炭使用のバーベキューコンロは各種発売されているが、多くは炭を乗せるロストルと焼き網・鉄板との間は一定に固定されており、火力調整は専ら空気取入口の開閉で行なわれ、なおも火力が強すぎる時には焼き網を持ち上げる等で対応しているのが現状である。
過熱している焼き網に触れる事は火傷等の事故を招き、焼き網を持ち上げた場合、コンロ本体と焼き網との間に隙間ができるので、周囲に熱をロスする結果となり、逆に行事の終盤には炭と焼き網の間に距離があるため、炭の余熱を最後まで利用することができない。このように、火力の微調整ができないため行事の進行状況よりも、常に火力に左右される不自由さを感じつつ、結果的に炭を効率良く利用できず無駄に消費している。
また、バーベキューコンロには廉価なものが多く、炭代の方が高くつくことからも省エネ・省資源化の効率の良いバーベキューコンロが求められている。
【発明の開示】
【発明が解決しようとする課題】
【０００３】  火力に応じて炭と金網の距離を常に最良の状態に保ち、かつ空気量も自動的に調整して安全にバーベキューを楽しみながら、従来無駄に浪費している炭の使用量を押さえて環境問題にも貢献できる、省エネタイプのバーベキューコンロを提供しようとするものである。
【発明を解決するための手段】
【０００４】発明を達成するために、本発明における自動空気調整付バーベキューコンロは次のような構成としている。
炭焼きコンロにおいて、コンロ１の外周面下部に複数の空気吸入孔２、２を周設し、左右両側面の中央部に固定用螺子３、３の挿入孔４、４を穿設したコンロ１と、その内部にわずかな隙間をもって収納する、相当の外周面をもつ中枠５の二重体構造とする。
中枠５の底部に多数の子孔の空いたロストル６の支持部７、７を内側に成型し、左右両側面の中央下部に貫通孔８、８を設けてその両面内側に螺子孔９、９を接合し、コンロ１の左右外部から固定用螺子３、３で支承させて上下動を可能にし、同時に中枠５の外周面幅を利用して空気吸入孔２、２を開閉塞する。
また、多数の子孔の空いたロストル６を使用することにより、下からの空気供給が行えるので炭を迅速に熾せ、空気吸入孔２、２の自動開閉と相俟って火力を効率よく利用でき、省エネ・環境問題に貢献することを特徴とする自動空気調整付バーベキューコンロ。
【発明の効果】
【０００５】  本発明は上記のとおり構成されているので、次に記載する効果を奏する。
１，下から空気を供給できるので炭を迅速に熾せ、火力を効率よく利用できる。
２，上下作動でロストルを最適な位置に保ち、同時に必要な空気量を自動的に変えれる。
３，行事の進行状況に応じて微調整ができ、火力に左右される不自由さが解消される。
４，過熱している金網・鉄板を持ち上げる為に触れる必要はなく、安全で事故を防げる。
５，ロストルを上下しても、熱は常にコンロ内部にこもるので効率よく焼ける。
６，終盤には炭を補充する事なく、ロストルを近づけて炭が燃え尽きるまで利用できる。
７，上記のことから、炭の使用量を２割程度削減でき、省エネ・節約効果をもたらす。
８，炭の使用量を削減できた分、二酸化炭素の排出量も減らせ環境問題にも貢献する。
９，従来のコンロに比べ、中枠分が増えるだけなのでコスト的には廉価にできる。
１０，構造が簡単で分解しやすく、使用後の清掃・後始末が容易である。
【発明を実施するための最良の形態】
【０００６】  炭焼きコンロにおいてコンロ１の外周面下部に複数個の縦長の空気吸入孔２を周設し、左右両側面の中央部に固定用螺子３の上下動に必要な長さの縦長の挿入孔４を穿設したコンロ１と、その内部にわずかな隙間をもって収納する、相当の外周面を持った中枠５の二重体構造とする。
その中枠５の底部に、多数の子孔の空いたロストル６を受ける支持部７を内側に成型してロストル６を落とし込み、中枠５の左右両側面の中央下部に貫通孔８を設けて、その内側両面に螺子孔９を接合する。
この中枠５を、コンロ１の左右外部から固定用螺子３で支承させて上下動を可能にするが、その際、中枠５の外周面幅を利用してコンロ１とのがたつきを解消し、上下作動に連動して空気吸入孔２を開閉塞する作用も合わせ持つ。
多数の子孔の空いたロストル６を使用することにより、下からの空気供給が行えるので炭を迅速に熾せ、空気吸入孔２を開閉塞する作用と相俟って火力を効率よく利用でき炭の節約効果と微調整ができることから、省エネと環境問題に貢献しながら安全で快適なバーベキューを楽しめる。
【産業上の利用可能性】
【０００７】  バブル経済がはじけて国民感情も質素になり、加えて自然回帰の願望も強く、アウトドアブームが続く中で自然環境を守るためには、省エネ＝環境、の認識が浸透している。
当コンロを使用することで利用者は従来品と比べて、価格的にはさほど変わらず２〜３割程度の炭代が節約でき、安全で快適なアウトドアライフを楽しめる。
また、高級仕様にすれば業務用としても活用できることから相当数の需要が見込め、炭節約による二酸化炭素の排出量も減らせ、省エネ効果と環境問題にも貢献できるという事からも、産業上、有意義であり利用価値のある発明である。
【図面の簡単な説明】
【０００８】
【図１】  本発明の実施例の斜視図である。
【図２】  本発明の実施例の組み立て説明図である。
【図３】  本発明の実施例の組み立て説明図である。
【図４】  本発明の実施例の組み立て説明図である。
【図５】  本発明の正面よりの縦断面図である。
【図６】  本発明の要部構造説明断面図である。
【符号の説明】
【０００９】  （１）はコンロ
（２）は空気吸入孔
（３）は固定用螺子
（４）は挿入孔
（５）は中枠
（６）はロストル
（７）は支持部
（８）は貫通孔
（９）は螺子孔
【図１】
2005312845.tif 000003
【図２】
2005312845.tif 000004
【図５】
2005312845.tif 000005
【図６】
2005312845.tif 000006
【手続補正書】
【提出日】平成16年6月23日(2004.6.23)
【手続補正１】
【補正対象書類名】図面
【補正対象項目名】全図
【補正方法】変更
【補正の内容】
【図１】
2005312845.tif 000007
【図２】
2005312845.tif 000008
【図３】
2005312845.tif 000009
【図４】
2005312845.tif 000010
【図５】
2005312845.tif 000011
【図６】
2005312845.tif 000012